(57)【要約】      （修正有）【課題】利便性を向上させた警報器を提供する。【解決手段】ガス漏れ、火災、または一酸化炭素の警報を行う警報器において、ガス漏れ、火災、または一酸化炭素を検知する検知部と、前記検知部による検知結果に応じた、所定の処理を実行させる制御部と、を備える。制御部は、出力部により、警報及び室内に幼児、乳児、ペット等が存在する旨を、戸外アラーム、情報端末、監視センター等に通知する。制御部は、鍵の解錠及び、ドアやシャッター等を開かせる制御を遮蔽装置に実行させる。【選択図】図４
2018084927.tif 000002
【特許請求の範囲】
【請求項１】
ガス漏れ、火災、または一酸化炭素の警報を行う警報器であって、
ガス漏れ、火災、または一酸化炭素を検知する検知部と、
前記検知部による検知結果に応じた、所定の処理を実行させる制御部と、
を備えることを特徴とする警報器。
【請求項２】
前記制御部は、前記検知部によりガス漏れ、火災、または一酸化炭素が検知されると、鍵を解錠させる処理、または遮蔽を開放させる処理を遮蔽装置に実行させる、
請求項１記載の警報器。
【請求項３】
前記制御部は、前記検知部によりガス漏れ、または一酸化炭素が検知されると、空気清浄装置に、室内の空気の換気または清浄をさせる処理を実行させる、
請求項１または２記載の警報器。
【請求項４】
前記検知部は、臭い及びユーザの存在を検知し、
前記制御部は、前記検知部により、臭い及びユーザの存在が検知されると、現在の日時に応じたゴミの収集に関する情報を報知させる
請求項１乃至３のいずれか一項に記載の警報器。
【請求項５】
前記検知部は、侵入者を検知し、
前記制御部は、前記検知部により、侵入者が検知されると、火事が発生した旨の音声メッセージを報知させる
請求項１乃至４のいずれか一項に記載の警報器。
【請求項６】
前記検知部は、ユーザが入浴中であるか否かを検知し、
前記制御部は、前記検知部により、ユーザが入浴中であることが検知されている間に、第１の閾値以上のガス漏れ、火災、または一酸化炭素が検知された場合、警報を出力させ、
前記検知部により、ユーザが入浴中であることが検知されていない間に、前記第１の閾値よりも高い第２の閾値以上のガス漏れ、火災、または一酸化炭素が検知された場合、警報を出力させる
請求項１乃至５のいずれか一項に記載の警報器。
【請求項７】
前記検知部は、ユーザが転倒中であるか否かを検知し、
前記制御部は、前記検知部により、ユーザが転倒中であることが検知されている間に、第１の閾値以上のガス漏れ、火災、または一酸化炭素が検知された場合、警報を出力させ、
前記検知部により、ユーザが転倒中であることが検知されていない間に、前記第１の閾値よりも高い第２の閾値以上のガス漏れ、火災、または一酸化炭素が検知された場合、警報を出力させる
請求項１乃至６のいずれか一項に記載の警報器。
【請求項８】
前記検知部は、室内に幼児、乳児、またはペットが存在するか否かを検知し、
前記制御部は、前記検知部により、室内に幼児、乳児、またはペットが存在することが検知されている間に、第１の閾値以上のガス漏れ、火災、または一酸化炭素が検知された場合、警報を出力させ、
前記検知部により、室内に幼児、乳児、またはペットが存在することが検知されていない間に、前記第１の閾値よりも高い第２の閾値以上のガス漏れ、火災、または一酸化炭素が検知された場合、警報を出力させる
請求項１乃至７のいずれか一項に記載の警報器。
【請求項９】
前記検知部は、空気の汚れによる揮発性有機化合物、二酸化炭素、臭い、または埃の濃度を検知し、
前記制御部は、前記検知部により検出された濃度が所定の閾値を超えると、空気清浄装置に運転の開始を指示するとともに、運転を開始したことを音声で通知する
請求項１乃至８のいずれか一項に記載の警報器。
【請求項１０】
前記検知部は、侵入者を検知し、
前記制御部は、所定のモードに設定されている間に前記検知部により侵入者が検知されると、戸外アラームまたは情報端末に警報を通知する
請求項１乃至９のいずれか一項に記載の警報器。
【請求項１１】
前記検知部は、遮蔽装置から鍵の開閉状態を取得し、
前記制御部は、前記検知部により取得された鍵の開閉状態に基づき、所定の音声を通知する  
請求項１乃至１０のいずれか一項に記載の警報器。
【請求項１２】
前記制御部は、前記検知部により取得された鍵の開閉状態が、所定の時間以上継続して開状態である場合、所定の音声を通知する
請求項１１に記載の警報器。
【請求項１３】
前記制御部は、前記検知部により取得された鍵の開閉状態が変化した際、または所定の操作を受け付けた際、前記遮蔽装置の鍵の開閉状態を音声で通知する
請求項１１または１２に記載の警報器。
【請求項１４】
前記制御部は、所定の操作を受け付けると、前記遮蔽装置に施錠を指示する
請求項１１乃至１３のいずれか一項に記載の警報器。
【請求項１５】
前記検知部は、乳児、幼児、またはペットの異常、あるいは侵入者を検知し、
前記制御部は、前記検知部により乳児、幼児、またはペットの異常、あるいは侵入者が検知されると、当該検知された際に撮影された画像を情報端末に送信する
請求項１乃至１４のいずれか一項に記載の警報器。
【請求項１６】
ガス漏れ、火災、または一酸化炭素の警報を行う警報器が、
ガス漏れ、火災、または一酸化炭素を検知するステップと、
前記検知の結果に応じた、所定の処理を実行させるステップと、
を実行することを特徴とする警報方法。
【請求項１７】
ガス漏れ、火災、または一酸化炭素の警報を行う警報器に、
ガス漏れ、火災、または一酸化炭素を検知するステップと、
前記検知の結果に応じた、所定の処理を実行させるステップと、
を実行させるためのプログラム。
【発明の詳細な説明】
【技術分野】
【０００１】
本発明は、警報器、警報方法、及びプログラムに関する。
【背景技術】
【０００２】
従来、ガス漏れ、火災、一酸化炭素等を検知すると、警報の音声メッセージを報知する警報器が知られている（例えば、特許文献１参照）。
【先行技術文献】
【特許文献】
【０００３】
【特許文献１】特開２０１５−１５８７９０号公報
【発明の概要】
【発明が解決しようとする課題】
【０００４】
しかしながら、従来の警報器では、ガス漏れ、火災、一酸化炭素等を検知した場合に、音声等により通知すること以外の処理はできないという問題がある。
【０００５】
そこで、警報器による利便性を向上させる技術を提供することを目的とする。
【課題を解決するための手段】
【０００６】
ガス漏れ、火災、または一酸化炭素の警報を行う警報器において、ガス漏れ、火災、または一酸化炭素を検知する検知部と、前記検知部による検知結果に応じた、所定の処理を実行させる制御部と、を備える。
【発明の効果】
【０００７】
開示の技術によれば、警報器による利便性を向上させることが可能となる。
【図面の簡単な説明】
【０００８】
【図１】実施形態に係る警報システムの構成例を示す図である。
【図２】実施の形態に係る警報器のハードウェア構成例を示す図である。
【図３】実施形態に係る警報器の機能構成の一例を示す図である。
【図４】実施形態に係る警報システムの処理の一例を示すシーケンス図である。
【発明を実施するための形態】
【０００９】
以下、図面に基づいて本発明の実施形態を説明する。図１は、実施形態に係る警報システム１の構成例を示す図である。図１において、警報システム１は、警報器１０、空気清浄装置２０、戸外アラーム３０、遮蔽装置４０、検出装置５０、及び情報端末６０を有する。
【００１０】
警報器１０と、空気清浄装置２０、戸外アラーム３０、遮蔽装置４０、検出装置５０、及び情報端末６０との間は、赤外線、無線ＬＡＮ（Ｌｏｃａｌ Ａｒｅａ Ｎｅｔｗｏｒｋ）、Ｂｌｕｅｔｏｏｔｈ（登録商標）等の近距離無線通信、または通信ケーブル等により通信可能に接続される。
【００１１】
また、警報器１０と、情報端末６０との間は、例えば、インターネット、携帯電話網等の通信網により通信可能に接続されてもよい。
【００１２】
警報器１０は、空気の汚れによる揮発性有機化合物（VOC）等、二酸化炭素、臭い、埃等を検知し、検出した濃度が所定の閾値を超えると、空気清浄装置２０に自動運転の開始を指示するとともに、自動運転を開始したことを音声で通知する。
【００１３】
警報器１０は、留守モードに設定されている間に人感センサ等により侵入者を検知すると、戸外アラーム３０に警報を出力させるとともに、情報端末６０にメールや電話等により侵入者を検知した旨を通知する。なお、この場合、警報器１０は、例えば電話回線を介して、または台所リモコン、ガスメータ及びＰＨＳ回線を介して、監視センターに通知し、監視センターのオペレータから情報端末６０に電話等により侵入者を検知した旨を通知してもよい。
【００１４】
警報器１０は、遮蔽装置４０から鍵の開閉状態を取得し、鍵の開閉状態が変化した際、「鍵が開きました。」、「鍵が閉まりました。」等の音声メッセージにより、鍵の開閉状態を音声で通知する。また、警報器１０は、鍵が所定の時間開状態であると、「鍵が開いていませんか」等の音声メッセージにより、鍵の施錠を音声で促す。また、警報器１０は、所定の操作を受け付けると、遮蔽装置４０から鍵の開閉状態を取得し、「鍵が開いています。」等の音声メッセージにより、鍵の開閉状態を音声で通知する。また、警報器１０は、所定の操作を受け付けると、遮蔽装置４０に施錠を指示する。
【００１５】
警報器１０は、検出装置５０から、例えば高齢者の転倒や、浴室でのヒートショック等を検知すると、音声によりその旨を通知する。
【００１６】
警報器１０は、内蔵のカメラ１０９または外付けのカメラにより、台所や居間を撮影する。撮影した静止画や動画は、情報端末６０に送信される。警報器１０は、留守モードに設定されている間に画像認識により侵入者を検知すると、撮影した静止画や動画を情報端末６０に送信する。また、警報器１０は、画像認識により乳児、幼児、ペット等の異常を検知すると、撮影した静止画や動画を情報端末６０に送信する。
【００１７】
空気清浄装置２０は、例えば、換気扇や空気清浄器であり、警報器１０からの指示に応じて、換気や空気清浄等を行う。
【００１８】
戸外アラーム３０は、例えば玄関等の戸外に設けられたアラームであり、警報器１０からの指示に応じて、警報音や警報音声を出力する。
【００１９】
遮蔽装置４０は、例えば玄関等のドアに設けられた電子錠、及び電動シャッターや電動ドア等であり、警報器１０からの指示に応じて、鍵の解錠、及び電動シャッターや電動ドアの開放等を行う。
【００２０】
検出装置５０は、ユーザの状態を検出する装置であり、例えばユーザの操作に応じて転倒した旨の信号を送信する転倒検知送信機、または浴槽に設置された水位センサや人感センサ等に基づいて入浴中であるか否かを検知する熱源機用台所リモコン等である。
【００２１】
情報端末６０は、例えばスマートフォン、タブレット、ウェアラブルデバイス等、ノートパソコン等の端末である。
【００２２】
＜ハードウェア構成＞
図２は、実施の形態に係る警報器１０のハードウェア構成例を示す図である。図２の警報器１０は、それぞれバスＢで相互に接続されているドライブ装置１００、補助記憶装置１０２、メモリ装置１０３、ＣＰＵ１０４、インタフェース装置１０５、入力装置１０６、センサ１０７、スピーカ１０８、及びカメラ１０９等を有する。
【００２３】
警報器１０での処理を実現する情報処理プログラムは、記録媒体１０１によって提供される。情報処理プログラムを記録した記録媒体１０１がドライブ装置１００にセットされると、情報処理プログラムが記録媒体１０１からドライブ装置１００を介して補助記憶装置１０２にインストールされる。但し、情報処理プログラムのインストールは必ずしも記録媒体１０１より行う必要はなく、ネットワークを介して他のコンピュータよりダウンロードするようにしてもよい。補助記憶装置１０２は、インストールされた情報処理プログラムを格納すると共に、必要なファイルやデータ等を格納する。
【００２４】
メモリ装置１０３は、プログラムの起動指示があった場合に、補助記憶装置１０２からプログラムを読み出して格納する。ＣＰＵ１０４は、メモリ装置１０３に格納されたプログラムに従って警報器１０に係る機能を実現する。インタフェース装置１０５は、ネットワークに接続するためのインタフェースとして用いられる。入力装置１０６はボタン等で構成され、様々な操作指示を入力させるために用いられる。センサ１０７は、ガス漏れ、火災、不完全燃焼による一酸化炭素等を検出する。スピーカ１０８は、ガス漏れ、火災、不完全燃焼による一酸化炭素等が検出された旨を示す音声メッセージ等を報知する。カメラ１０９は、室内の画像を撮影する。
【００２５】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００２６】
＜機能構成＞
次に、図３を参照し、実施形態に係る警報器１０の機能構成について説明する。図３は、実施形態に係る警報器１０の機能構成の一例を示す図である。
【００２７】
警報器１０は、検知部１１、制御部１２、及び出力部１３を備える。これら各部は、警報器１０にインストールされた１以上のプログラムが、警報器１０のＣＰＵ１０４に実行させる処理により実現される。
【００２８】
検知部１１は、センサ１０７により検出された気体や熱の情報に基づき、ガス漏れ、火災、不完全燃焼による一酸化炭素、臭い等を検知する。
【００２９】
検知部１１は、カメラ１０９により撮影された画像に基づき、室内のユーザを検知する。また、検知部１１は、カメラ１０９により撮影された画像に基づき、室内にユーザ、幼児、乳児、ペット等が存在するか否かを検知する。なお、検知部１１は、人感センサ等を用いて、ユーザ等を検知してもよい。
【００３０】
検知部１１は、浴槽に設置された水位センサや人感センサ等に基づいて入浴中であるか否かを検知する熱源機用台所リモコン等である検出装置５０から取得した情報に基づき、ユーザが入浴中であるか否かを検知する。
【００３１】
検知部１１は、ユーザの操作に応じて転倒した旨の信号を送信する転倒検知送信機等である検出装置５０から取得した情報に基づき、ユーザが転倒中であるか否かを検知する。
【００３２】
検知部１１は、空気の汚れによる揮発性有機化合物、二酸化炭素、臭い、または埃の濃度を検知する。また、検知部１１は、カメラ１０９により撮影された画像、または人感センサ等に基づいて侵入者を検知する。また、検知部１１は、遮蔽装置４０から鍵の開閉状態を取得する。また、検知部１１は、例えば画像認識により、乳児、幼児、またはペットの異常、あるいは侵入者を検知する。
【００３３】
制御部１２は、検知部１１による検知結果に応じて、所定の処理を実行させる。例えば、制御部１２は、検知部１１によりガス漏れ、火災、または不完全燃焼による一酸化炭素が検知されると、鍵を解錠させる処理、または遮蔽を開放させる処理を遮蔽装置４０に実行させる。
【００３４】
制御部１２は、検知部により検出された濃度が所定の閾値を超えると、空気清浄装置２０に運転の開始を指示するとともに、運転を開始したことを音声で通知する。制御部１２は、ボタン操作等により留守番モード等の所定のモードに設定されている間に、検知部１１により侵入者が検知されると、戸外アラーム３０または情報端末６０に警報を通知する。制御部１２は、検知部１１により取得された鍵の開閉状態が、所定の時間以上継続して開状態である場合、「鍵が開いていませんか？」等の所定の音声を通知する。
【００３５】
制御部１２は、検知部１１により乳児、幼児、またはペットの異常、あるいは侵入者が検知されると、当該検知された際に検知部１１により撮影された画像を情報端末６０に送信する。
【００３６】
出力部１３は、制御部１２からの指示に従い、音声メッセージ等をユーザに報知する。また、出力部１３は、制御部１２からの指示に従い、戸外アラーム３０、情報端末６０、外部の監視センター等に通報を行う。
【００３７】
＜処理＞
次に、図４を参照し、実施形態に係る警報器１０の処理について説明する。図４は、実施形態に係る警報器１０の処理の一例を示すシーケンス図である。
【００３８】
ステップＳ１０１において、警報器１０の検知部１１は、ガス漏れによるガス、火災による煙や熱、一酸化炭素等のガスを、第１の閾値以上検知する。例えば、可燃性ガス、煙、一酸化炭素等の所定のガスの濃度が、当該所定のガスに応じた第１の閾値の濃度以上であることを検知する。または、熱が、第１の閾値の温度以上であることを検知する。
【００３９】
続いて、警報器１０の検知部１１は、カメラで撮影された画像に基づいて画像認識を行い、画像認識の結果に基づき、室内に幼児、乳児、ペット等が存在するか否かを判定する（ステップＳ１０２）。なお、画像から幼児、乳児、ペット等が存在するか否かを判定処理は、公知の画像認識技術を用いて実行されてもよい。
【００４０】
室内に幼児、乳児、ペット等が存在しない場合（ステップＳ１０２でＮＯ）、後述するステップＳ１０６の処理に進む。
【００４１】
室内に幼児、乳児、ペット等が存在する場合（ステップＳ１０２でＹＥＳ）、警報器１０の制御部１２は、検知部１１により検知されたものがガス漏れによるガス、または一酸化炭素等のガス等であれば、空気清浄装置２０の運転を開始させる（ステップＳ１０３）
続いて、警報器１０の制御部１２は、出力部１３により、警報及び室内に幼児、乳児、ペット等が存在する旨を、戸外アラーム３０、情報端末６０、監視センター等に通知する（ステップＳ１０４）。これにより、自分で避難できない乳児、ペット等がいる場合に、早めに対処できる。
【００４２】
続いて、警報器１０の制御部１２は、鍵の解錠及び、ドアやシャッター等を開かせる制御を遮蔽装置４０に実行させる（ステップＳ１０５）。これにより、幼児等が自分で避難できるようにするとともに、外部から救助に入ることもできるようにする。
【００４３】
続いて、警報器１０の制御部１２は、検知部１１によりユーザが入浴中であることが検知されているか否かを判定する（ステップＳ１０６）。
【００４４】
ユーザが入浴中でない場合（ステップＳ１０６でＮＯ）、後述するステップＳ１０８の処理に進む。
【００４５】
ユーザが入浴中である場合（ステップＳ１０６でＹＥＳ）、制御部１２は、出力部１３により、例えば検出装置５０を介して、熱源機の浴室リモコンに警報を出力させる（ステップＳ１０７）。
【００４６】
続いて、警報器１０の制御部１２は、検知部１１によりユーザが転倒中であることが検出されているか否かを判定する（ステップＳ１０８）。
【００４７】
ユーザが転倒中であることが検出されていない場合（ステップＳ１０８でＮＯ）、後述するステップＳ１１０の処理に進む。
【００４８】
ユーザが転倒中であることが検出されている場合（ステップＳ１０８でＹＥＳ）、警報器１０の制御部１２は、出力部１３により、警報とともにユーザが転倒している旨を戸外アラーム３０、情報端末６０、監視センター等に通知する（ステップＳ１０９）。
【００４９】
続いて、警報器１０の制御部１２は、ガス漏れによるガス、火災による煙や熱、一酸化炭素等のガスを、第１の閾値よりも高い第２の閾値以上検知したか否かを判定する（ステップＳ１１０）。
【００５０】
第２の閾値以上検知しない場合（ステップＳ１１０でＮＯ）、処理を終了する。
【００５１】
第２の閾値以上検知した場合（ステップＳ１１０でＹＥＳ）、警報器１０の制御部１２は、空気清浄装置２０の運転を開始させるとともに（ステップＳ１１１）、出力部１３により、警報を戸外アラーム３０、情報端末６０、監視センター等に通知する（ステップＳ１１２）。これにより、自分で避難できない乳児、ペット等がいない場合は、比較的高い閾値となってから通報するため、誤通報を防ぐことができる。なお、当該比較的高い閾値は、通常のガス警報器が警報音を出力する閾値と同様の値でもよい。
【００５２】
続いて、警報器１０の制御部１２は、鍵の解錠及び、ドアやシャッター等を開かせる制御を遮蔽装置４０に行わせ（ステップＳ１１３）、処理を終了する。これにより、ユーザが屋外に逃げやすくするとともに、換気もできる。
【００５３】
＜変形例＞
警報器１０の制御部１２は、予め設定された時間帯において、検知部１１により臭い及びユーザの存在が検知されると、現在の日時に応じたゴミの収集に関する音声メッセージを出力部１３に報知させてもよい。この場合、検知部１１は、例えば、センサ１０７により硫黄化合物系ガスの濃度が所定の閾値以上の場合に、臭いを検知したと判定してもよい。また、検知部１１は、カメラ１０９により撮影された画像を画像認識してユーザの存在を検知してもよいし、人感センサ等を用いてユーザを検知してもよい。また、警報器１０の制御部１２は、例えば予め設定された住所に応じた自治体等のゴミ出しの情報に基づき、例えば当日に出してよいゴミの種別を報知する。これにより、例えば朝の時間帯に、台所が臭い場合、ユーザにゴミ出しを促すことができる。
【００５４】
警報器１０の制御部１２は、検知部１１により侵入者が検知されると、火事が発生した旨の音声メッセージを出力部１３に報知させてもよい。この場合、警報器１０は、例えば、ユーザが旅行等で長期外出する際、留守モードに設定される。そして、留守モードが設定されている場合に、侵入者が検知されると、火災を検知した場合の音声を報知する。それにより、火災が報知されるため、近所の人がすぐに駆け付けて来る可能性が高まり、防犯機能が高まる。なお、検知部１１は、カメラ１０９により撮影された画像を画像認識して侵入者を検知してもよいし、人感センサ等を用いて侵入者を検知してもよい。
【００５５】
＜まとめ＞
上述した実施形態によれば、警報器１０は、ガス漏れ、火災、または一酸化炭素が検知されると、所定の制御を行わせる。これにより、警報器１０による利便性が向上する。
【００５６】
以上、本発明の実施例について詳述したが、本発明は斯かる特定の実施形態に限定されるものではなく、特許請求の範囲に記載された本発明の要旨の範囲内において、種々の変形・変更が可能である。
【００５７】
例えば、制御部１２等は、１以上のコンピュータにより構成されるクラウドコンピューティングにより実現してもよい。
【００５８】
上述した実施形態における警報器１０の一部、または全部を、ＬＳＩ（Ｌａｒｇｅ  Ｓｃａｌｅ  Ｉｎｔｅｇｒａｔｉｏｎ）等の集積回路として実現してもよい。警報器１０の各機能ブロックは個別にプロセッサ化してもよいし、一部、または全部を集積してプロセッサ化してもよい。
【符号の説明】
【００５９】
１  警報システム
１０  警報器（情報処理装置）
１０７  センサ
１０８  スピーカ
１０９  カメラ
１１  検知部
１２  制御部
１３  出力部
２０  空気清浄装置
３０  戸外アラーム
４０  遮蔽装置
５０  検出装置
６０  情報端末
【図１】
2018084927.tif 000003
【図２】
2018084927.tif 000004
【図３】
2018084927.tif 000005
【図４】
2018084927.tif 000006